(57)【要約】【課題】スピニングリール専用ルアーロッドのリール固定装置部の竿杆を撓み易くする。【解決手段】繊維強化合成樹脂製竿杆１０を挿通させ、リール載置面１２Ｂを有して構造用合成樹脂材によって形成されたリールシート本体１２を設け、該リール載置面の前後に配設した１対のフード１２Ａ，１４によってリール足を固定し、トリガーを有しないスピニングリール専用のルアーロッドにおいて、リールシート本体の上に、天然か人工のコルク材又は発泡性合成樹脂材によって形成したグリップ部材２０Ａを設けると共に、前記リールシート本体と竿杆との間に、発泡性合成樹脂の層１８を設けるよう構成する。【選択図】        図１
2004321086.tif 000002
【特許請求の範囲】
【請求項１】
繊維強化合成樹脂製竿杆を挿通させ、リール載置面を有して構造用合成樹脂材によって形成されたリールシート本体を設け、該リール載置面の前後に配設した１対のフードによってリール足を固定し、トリガーを有しないスピニングリール専用のルアーロッドにおいて、リールシート本体の上に、天然か人工のコルク材又は発泡性合成樹脂材によって形成したグリップ部材を設けると共に、前記リールシート本体と竿杆との間に、発泡性合成樹脂の層を設けたことを特徴とするルアーロッド。
【請求項２】
前記発泡性合成樹脂層とグリップ部材とは、リールシート本体の前端より前方位置にまで延伸して竿杆に被さっている請求項１記載のルアーロッド。
【請求項３】
前記竿杆に被さっている延伸部の発泡性合成樹脂層の硬度は、竿杆の硬度よりも低く、グリップ部材の硬度よりも高い請求項２記載のルアーロッド。
【発明の詳細な説明】
【０００１】
【発明の属する技術分野】
本発明は、スピニングリール専用のルアーロッドに関する。
【０００２】
【従来の技術】
スピニングリール専用のルアーロッドでは、構造用合成樹脂材で形成したリールシート本体を有するリール固定装置にリールを装着し、このリール固定装置部を握持して釣りを行うことが一般的である。ところがこのリールシート本体は、繊維強化合成樹脂製竿杆を挿通させて、リールシート本体を竿杆外周に直接に接着等で固定している。ルアーロッドではないが、竿杆上にリールシート本体が配設され、その上にグリップ部材が配設された一例が、例えば下記特許文献１に開示されている。
【特許文献１】
特開平１１−３１８２８３号公報
【０００３】
【発明が解決しようとする課題】
然しながら、魚が掛かった際に竿杆は撓もうとするが、構造用合成樹脂材のリールシート本体は剛性が高くて殆ど撓まない。また、ルアーロッドによる釣りは、釣りを楽しむことが大きな目的でもある。魚が掛かった際に、把持している手にその竿杆の撓みという魚信が伝わることは、この釣りを楽しむという大きな目的に沿っているが、上述した従来の構造では、船竿であるため、構造用合成樹脂材によるリールシート本体が把持部の撓みを防止してルアーロッドのような釣りの楽しみは大いに低減している。こうした構造をルアーロッドでも採用しており、釣りの楽しみが大いに低減されている。また、ルアーロッドは通常片手で操作するので、軽量化が重要である。
依って本発明は、スピニングリール専用ルアーロッドのリール固定装置部の竿杆を撓み易くすることを目的とする。
また、応力集中を防止しつつ撓み易くすることを目的とする。
また、リール固定装置部の軽量化を目的とする。
【０００４】
【課題を解決するための手段】
上記目的に鑑みて本発明の請求項１では、繊維強化合成樹脂製竿杆を挿通させ、リール載置面を有して構造用合成樹脂材によって形成されたリールシート本体を設け、該リール載置面の前後に配設した１対のフードによってリール足を固定し、トリガーを有しないスピニングリール専用のルアーロッドにおいて、リールシート本体の上に、天然か人工のコルク材又は発泡性合成樹脂材によって形成したグリップ部材を設けると共に、前記リールシート本体と竿杆との間に、発泡性合成樹脂の層を設けたことを特徴とするルアーロッドを提供する。
構造用合成樹脂材とは、発泡性合成樹脂材や柔軟な樹脂材を除いた一般的な合成樹脂材（例えば、ＡＢＳ樹脂やナイロン等）を言う。
【０００５】
トリガーの無いルアーロッドであり、スピニングリール専用である。この場合、一般に釣りの際に、手にリール脚を挟んで把持するため、把持手はリール固定装置部を把持することになる。即ち、長手方向におけるリール載置面の中央付近のリール固定装置部を掌に収めるように把持する。本発明はこのことが前提となる。撓み難くて硬い部材といえるリールシート本体の上に、柔軟なグリップ部材が設けられているため、この領域（リール固定装置部）を把持した場合に把持感が向上する。また、竿杆と硬いリールシート本体との間に発泡性合成樹脂の層を設けているため、リール固定装置部の竿杆撓みが可能となり、魚が掛かった際の竿杆撓みの感触が手に伝わり易く、魚が掛かったことを実感できて釣りの楽しみが向上する。また、発泡性合成樹脂層の領域をもリールシート本体とする場合と比較すれば、材料が発泡性である分軽量化できる。
【０００６】
請求項２では、前記発泡性合成樹脂層とグリップ部材とは、リールシート本体の前端より前方位置にまで延伸して竿杆に被さっている請求項１記載のルアーロッドを提供する。
撓み難い部材であるリールシート本体の存在領域は釣竿が撓み難いが、このリールシート本体終端の前側竿杆上に、相対的に撓み易い部材とはいえ、発泡性合成樹脂層とグリップ部材とが被さっているため、リールシート本体終端の前側に竿杆のみが存在する場合に比べて、曲げ剛性が漸次変化してリールシート本体終端位置における竿杆への応力集中が防止できる。
【０００７】
請求項３では、前記竿杆に被さっている延伸部の発泡性合成樹脂層の硬度は、竿杆の硬度よりも低く、グリップ部材の硬度よりも高い請求項２記載のルアーロッドを提供する。硬度は、例えば、ゴム硬度計又はスプリング式硬さ試験機で計測する。
延伸領域では、内側から竿杆、発泡性合成樹脂層、グリップ部材と並んでおり、硬度が内側から順次低くなる。従って、撓んだ際により外側の部材が柔らかくて伸びが容易となり、自然な撓み変形が可能になると共に、各部材間の境界剥離が生じ難い。
【０００８】
【発明の実施の形態】
以下、本発明を添付図面に示す実施形態例に基づき、更に詳細に説明する。
図１は本発明に係るスピニングリール専用ルアーロッドのリール固定装置部近くの縦断面図である。エポキシ樹脂等の合成樹脂をマトリックスとし、炭素繊維等の強化繊維で強化した繊維強化樹脂製竿管１０の後方所定位置に、リール載置面１２Ｂを有し、ＡＢＳやナイロン等の構造用合成樹脂材で形成したリールシート本体１２が接着固定されている。
【０００９】
このリールシート本体１２の後側小径部１２Ｅは、前記リール載置面よりも低い小径筒部に形成されており、雄ねじが設けられている。また、リールシート本体の前側端部であって、前記リール載置面の前端部には固定フード１２Ａが一体に設けられている。また、リール載置面の後端部側には、移動フード１４が設けられており、該移動フードは前記雄ねじと螺合する雌ねじを有するナット部材１６と係合しており、このナット部材の回動によって前後移動が可能である。
【００１０】
一方、リールシート本体中心部には、リール載置面の後端部付近位置に底を有する深穴１２Ｃが前端から形成されている。更には、リールシート本体のリール載置面とは径方向反対側から側部にかけて段差状に薄く形成した薄肉部１２Ｄが形成されており、その段差縁を２点鎖線で示している。更には、前記固定フードの根元部（リールシート本体の前端部）は、固定フードの幅領域（全円周ではなく、円周の一部）において前端程拡径した穴１２Ｆが設けられている。
【００１１】
深穴１２Ｃ内には、その底面近くから、竿管との間に発泡性合成樹脂の層１８を設けている。更には、この層はリールシート本体の前端よりも前方適宜距離にまで延伸している。この発泡性樹脂材としては、例えば、硬質ウレタン樹脂があり、他の発泡性樹脂材のＥＶＡ等と比較して押し潰しに対して強い（硬度が高い）が、発泡性のために、非発泡性のリールシート本体の部材に比較して軽量である。発泡性合成樹脂の層１８の延伸部の外側には、前側グリップとして、天然か人工のコルク材又はＥＶＡ等の発泡性合成樹脂材によって形成した柔軟なグリップ部材２０が設けられている。このグリップ部材２０は後方側に延伸し、前記薄肉部１２Ｄ上に設けられた延伸部２０Ａを形成している。該延伸部はリール載置面の径方向反対側が最も膨出しており、把持した場合にこの膨出部が掌内に納まって把持感がよい。以上の、竿管１０、発泡性合成樹脂の層１８、リールシート本体１２、グリップ部材２０（２０Ａ）は、各当接境界面が接着固定されている。
【００１２】
グリップ部材２０と発泡性合成樹脂の層１８の前端部には、前端面を保護すべく、金属や構造用合成樹脂によって形成した環状部材２２を設けている。リールシート本体１２の後端面よりも後方には、天然か人工のコルク材又はＥＶＡ等の発泡性合成樹脂材によって形成した柔軟なグリップ部材２４が設けられ、後側グリップを構成している。このグリップ部材前端面を保護すべく、金属や構造用合成樹脂によって形成した環状部２６Ａを有し、その中心側にはより小径の管状部２６Ｂを突出形成した管状部品２６が設けられている。この管状部品の前端部は、リールシート本体１２（の後側小径部１２Ｅ）の後端部に重合させており、小径管状部はナット部材１６が通過可能である。
【００１３】
前後のフードにリール足を固定させて釣りを行う場合、通常このリール固定装置部を把持するが、リール載置面の径方向反対側に延伸している前側グリップの延伸部２０Ａの存在により、把持感がよい。また、魚が掛かった際には竿管が撓むが、リール載置面１２Ｂの後端部位近くから前側に位置するリール固定装置部領域の竿管の直ぐ外側には、リールシート本体１２ではなく、発泡性合成樹脂の層１８が配設されているため、この領域の竿管も撓み易い。従って、把持手には竿管の撓みが感じられ、釣りを楽しむことができる。
【００１４】
また、リールシート本体の前端部の固定フード側には既述の穴１２Ｆが存在し、固定フードを除いた円周部位は既述の薄肉部であるため、撓みの際にこの前端部において竿管に及ぼす応力集中は小さくなる。更には、このリールシート本体よりも前側適宜長さに、発泡性合成樹脂の層１８とグリップ部材２０のみが延伸して、撓み難いリールシート本体１２は延伸していないため、リールシート本体の存在領域よりは撓み易く、しかも、竿管のみの前方領域よりも幾分か撓み剛性が高い。即ち、リールシート本体領域、この前側延伸領域、そして前方の竿管のみの領域というように、順次曲げ剛性が低くなっており、リール固定装置部の前端部竿管において急に撓み剛性が低下し、応力が集中して竿管が折損することが防止される
【００１５】
更には、既述の材料による発泡性合成樹脂の層１８の部材の硬度は、ＪＩＳ  Ｋ６２５３デュロメータ硬さ試験のゴム硬度計によると、８０度程度であり、前側グリップ部材２０の硬度（７０度程度）よりも高く、竿管１０の硬度（１００度程度）よりも低いため、上記延伸部の撓みが滑らかになる。
以上の竿管１０は中空管であるが、中実の竿杆でもよい。また、請求項１の発明に対しては、グリップ部材の延伸部２０Ａは前側グリップ部材２０と一体でなく別体でもよい。
【００１６】
【発明の効果】
以上の説明から明らかなように本発明によれば、ルアーロッドのリール固定装置部竿杆が撓み易くなり、把持感により釣りの楽しみが得られる。
【図面の簡単な説明】
【図１】図１は、本発明に係るルアーロッド要部の縦断面図である。
【符号の説明】
１０                    竿管
１２                    リールシート本体
１８                    発泡性合成樹脂材の層
２０Ａ                  グリップ部材延伸部
【図１】
2004321086.tif 000003